(57)【要約】【課題】綴じ紐を綴じ板部材の受容溝に容易に嵌め込みできるとともに、その解除を容易に行うことのできる綴じ具及びファイルを提供すること。【解決手段】表紙体１１の内面側に綴じ具１２を装着してファイル１０が構成されている。綴じ具１２は、綴じ紐２０と、この綴じ紐に組み合わされる綴じ板部材２１とからなる。綴じ板部材は、ベース２５に設けられた綴じ紐の挿入路２８と、綴じ紐の両端側領域を倒伏して受容する受容溝２７Ａと、この受容溝の側壁２６に設けられて綴じ紐の倒伏姿勢を保持する一対の突条部３４とを備える。受容溝２７Ａ及び突条部３４は、前記綴じ紐の初期の受容動作を促進する受容促進部及び解除促進部を備えている。【選択図】          図４
2005014218.tif 000002
【特許請求の範囲】
【請求項１】
書類の綴じ穴に挿入される綴じ紐と、この綴じ紐に組み合わされる長片状の綴じ板部材とを備えた綴じ具において、
前記綴じ板部材は、ベースと、当該ベースに設けられた綴じ紐の挿入路と、当該挿入路を通って突き出た綴じ紐の両端側領域を倒伏して受容する受容溝と、この受容溝の側壁に設けられて前記綴じ紐の倒伏姿勢を保持するストッパとを備え、
前記受容溝及びストッパは、前記綴じ紐の初期の受容動作を促進する受容促進部を備えていることを特徴とする綴じ具。
【請求項２】
前記受容溝及びストッパは、前記受容溝に嵌め込まれた綴じ紐の嵌め込みを解除するときの動作を促進する嵌め込み解除促進部を更に含むことを特徴とする請求項１記載の綴じ具。
【請求項３】
前記受容溝は、当該受容溝の延びる方向に沿う中間部が高くなる曲面に形成されている一方、前記ストッパは前記側壁の各上部に設けられた一対の突条部により構成され、これら突条部間は前記受容溝の略中間部領域が最小となって平面視で略弓状に近似した形状に設けられていることを特徴とする請求項１又は２記載の綴じ具。
【請求項４】
前記受容溝の幅方向両側に、当該受容溝に沿って延びるスリットがそれぞれ形成されていることを特徴とする請求項１，２又は３記載の綴じ具。
【請求項５】
請求項１ないし４の何れかの綴じ具と、当該綴じ具が装着される表紙体とを備えたファイルにおいて、
前記綴じ具は、前記綴じ紐を前記表紙体に形成された穴に挿入して装着されていることを特徴とするファイル。
【発明の詳細な説明】
【０００１】
【発明の属する技術分野】
本発明は綴じ具及びファイルに係り、更に詳しくは、綴じ紐を綴じ板部材の受容溝に容易に嵌め込むことのできる綴じ具及びファイルに関する。
【０００２】
【従来の技術】
フラットファイルと称される公知のファイルは、表紙体と、当該表紙体の内面側に設けられた綴じ具とを備えて構成されている。綴じ具は、表紙体の内面側に折り込まれて当該表紙体の上下方向に沿って設けられた片状の装着部に装着されている。この装着部には長手方向（ファイル上下方向）に沿う二箇所領域に各二つの穴がそれぞれ形成されており、これら各二つの穴を利用してプラスチック製の一対の帯状片からなる綴じ紐の基部領域が支持される構成となっている。この一方、綴じ板部材は、前記装着部に沿う長片状のベースと、このベースの面内に設けられて前記綴じ紐がそれぞれ挿入される穴と、ベースの長手方向に沿って移動可能に設けられて前記綴じ紐を倒伏姿勢で上方より押さえ付けるスライダとにより構成されている。
【０００３】
しかしながら、このようなフラットファイルの綴じ具にあっては、スライダが必須の構成部材となるものであり、当該スライダを移動して所定位置に配置しなければ綴じ込み状態を維持することができない構成となっている。しかも、ベースは、スライダを移動させるためのガイドを設けて脱落不能に構成する必要があり、綴じ板部材を一体成形品として得ることはできない、という不都合もある。
【０００４】
前記スライダを有しないタイプの綴じ具としては、例えば、特許文献１に開示されている。
【０００５】
【特許文献１】実開昭５３−１６４２２０号公報
【０００６】
前記特許文献１に記載された綴じ具は、横断面形状が略円形となる綴じ紐を綴じ板部材の挿通路に通し、当該綴じ紐を綴じ板部材の面内に設けられた溝に嵌合させることによって書類の綴じ込みを可能としたものである。
【０００７】
【発明が解決しようとする課題】
しかしながら、特許文献１に記載された綴じ板部材の溝は、ベースの長手方向に沿って一定の溝幅を有し、且つ同一平面上に設けられているものであるため、綴じ紐を溝内に嵌め込む際の動作、特に、初期の受容動作をスムースに行い難いという不都合がある。そのため、綴じ紐を、横断面形状において円形として溝に嵌め込み易くしなければならず、フラットな綴じ紐を適用するには不向きなものとなっている。また、特許文献１の綴じ紐は、横断面円形であるため、溝の深さを確保すべく側壁を高く設けなければならなくなり、これにより、綴じ板部材が全体として厚くなり、薄型化することもできない、という不都合がある。
【０００８】
【発明の目的】
本発明は、このような不都合に着目して案出されたものであり、その目的は、綴じ紐を受容溝に容易に嵌め込むことができる綴じ具及びファイルを提供することにある。
また、本発明の他の目的は、綴じ紐の嵌め込みを解除する際の動作もスムースに行うことができる綴じ具及びファイルを提供することにある。
【０００９】
【課題を解決するための手段】
前記目的を達成するため、本発明は、書類の綴じ穴に挿入される綴じ紐と、この綴じ紐に組み合わされる長片状の綴じ板部材とを備えた綴じ具において、
前記綴じ板部材は、ベースと、当該ベースに設けられた綴じ紐の挿入路と、当該挿入路を通って突き出た綴じ紐の両端側領域を倒伏して受容する受容溝と、この受容溝の側壁に設けられて前記綴じ紐の倒伏姿勢を保持するストッパとを備え、
前記受容溝及びストッパは、前記綴じ紐の初期の受容動作を促進する受容促進部を備える、という構成を採っている。このような構成によれば、綴じ紐を綴じ板部材の挿入路に挿入して受容溝に嵌め込むに際し、綴じ紐を倒伏する方向に押圧することで、当該綴じ紐が無理なく次第に受容溝に嵌るようになる。従って、初期の嵌め込み動作がスムースに行われることで、その後の嵌め込みも容易に行えることとなる。このような嵌め込みの容易な動作を実現することで、綴じ紐はフラットな形状を有するものであっても適合させることができ、この場合には、溝の深さを抑制できるため、綴じ板部材の薄型化も図ることができる。
【００１０】
本発明において、前記受容溝及びストッパは、前記受容溝に嵌め込まれた綴じ紐の嵌め込みを解除するときの動作を促進する嵌め込み解除促進部を更に含む構成を採るとよい。このような構成とすれば、嵌め込みを解除する際に過大な力を綴じ紐にかける必要性も無くすことができる。
【００１１】
また、前記受容溝は、当該受容溝の延びる方向に沿う中間部が高くなる曲面に形成されている一方、前記ストッパは前記側壁の各上部に設けられた一対の突条部により構成され、これら突条部間は前記受容溝の略中間部領域が最小となって平面視で略弓状に近似した形状に設けられる、という構成を採ることが好ましい。これにより、指先で綴じ紐に押圧力を付与するときに、当該指の腹が受容溝に食い込み易くなって受容動作をスムースに行うことができる。
【００１２】
更に、前記受容溝の幅方向両側に、当該受容溝に沿って延びるスリットをそれぞれ形成するとよい。このように構成すると、溝自体の幅も広くしたり、初期の幅に戻すことができるようになり、当該綴じ紐の嵌め込みと嵌め込み解除を一層スムースに行うことができる。
【００１３】
また、本発明に係るファイルは、前記構成を備えた綴じ具の綴じ紐を表紙体に形成された穴に挿入して装着された構成を採っている。
【００１４】
【発明の実施の形態】
以下、本発明の実施の形態を図面を参照しながら説明する。
【００１５】
図１には、本実施形態に係るファイルを開いた状態の概略斜視図が示され、図２には、綴じ板部材を綴じ紐から外した状態の概略斜視図が示されている。これらの図において、ファイル１０は、表紙体１１と、当該表紙体１１に装着された綴じ具１２とにより構成されている。表紙体１１は、表表紙１３と、この表表紙１３に背表紙１４を介して連なる裏表紙１５と、背表紙１４の内面側すなわち当該背表紙１４と裏表紙１５との境界部分から内方に二枚厚となる状態で折り込まれた片状の装着部１６とからなる。装着部１６の上下方向二箇所領域には、図２に示されるように、各一対の内側穴１７，１７及び外側穴１８，１８が形成され、これら内側穴１７及び外側穴１８を利用して綴じ具１１が表紙体１１に対して着脱自在となっている。
【００１６】
前記綴じ具１１は、書類Ｐの綴じ穴Ｐ１に挿入される綴じ紐２０と、この綴じ紐２０に組み合わされる綴じ板部材２１とからなる。綴じ紐２０は全体として略扁平となる帯状の紙紐により構成されている。具体的には、図４及び図６に示されるように、紙糸若しくは紙縒り２０Ａを相互に略平行に配して連結された水引形状に設けられている。紙糸若しくは紙縒り２０Ａの本数は、特に限定されるものではないが、本実施形態では、四本を相互に連結したものにより構成され、その横断面形状における連結位置の厚みが相対的に薄くなる薄肉部２０Ｂを幅方向三箇所に備えたものが採用され、これにより、綴じ紐２０が薄肉部２０Ｂを撓み変形部として撓むようになっている（図６参照）。
【００１７】
前記綴じ紐２０において、紙縒り２０Ａの長さは約２１０ｍｍである一方、直径は約１ｍｍ強程度であり、綴じ紐２０としたときの幅が５ｍｍ程度の寸法に収まるように設定されている。但し、これらのサイズ若しくは寸法は、本発明を限定するものではなく、必要に応じて変更することができるものである。紙縒り２０Ａは、周知のように、細く切った紙によりをかけて紐状にしたものであるため、一本の強度は非常に強くなる。従って、これらを複数本連結して帯状の水引形状としたときの強度は更に増大し、折り曲げ等、反復継続的な使用に十分に耐え得えることができるとともに、いわゆる腰が強く、且つ、寸法変化も殆ど生じないものとなる。なお、綴じ紐２０は、図３に示されるように、その中間部領域が装着部１６の上面側に位置し、前記内側穴１７，１７から背表紙１５側を回り、外側穴１８，１８を通った両端側領域が装着部１６の面から内方に突き出る状態に保持される。
【００１８】
前記綴じ板部材２１は、例えば、紙製や合成樹脂等を成形素材として構成され、図４ないし図７に示されるように、全体として長片状に設けられている。これを更に詳述すると、綴じ板部材２１は、前記装着部１６の長手方向、すなわち、表紙体１１の上下方向に沿って配置されるベース２５と、このベース２５の短寸幅方向両側に設けられた一対の側壁２６，２６と、前記ベース２５及び側壁２６，２６により形成される溝２７とを備えて構成されている。
【００１９】
前記ベース２５には、当該ベース２５から突き出た綴じ紐２０の両端側が通される方形状の挿入路２８，２８が形成されている。本実施形態における挿入路２８は、略方形をなす穴により形成されているが、ベース２５の幅方向一端側の側壁２６部分から内方に向かって切欠部を形成してもよい。これによれば、綴じ紐２０をベース２５の下面側から上面側に挿入することなく、綴じ板部材２１の側端から綴じ紐２０を切欠部内に位置させることができる。ここで、各挿入路２８，２８と、これら挿入路２８，２８に直近したベース２５の長手方向端部２５Ａ，２５Ａとの間の溝２７領域が綴じ紐２０の受容溝２７Ａ，２７Ａとなる。ここで、溝２７及び受容溝２７Ａの幅は、綴じ紐２０の幅と同程度か、それより僅かに大きく設定され、これにより、綴じ紐２０が受容溝２７Ａ内に嵌め込まれた状態で、当該綴じ紐２０の幅方向両端から内方に向かう過大な締付力が付与されないようになっている。
【００２０】
前記綴じ紐の受容溝２７Ａを形成する溝底面２７Ｂには、側壁２６，２６の基部側に前記長手方向に沿って延びるスリット３２，３２が形成され、当該スリット３２によって、綴じ紐２０を受容溝２７Ａに嵌め込む時と嵌め込みを解除する時に、溝幅寸法すなわち側壁２６，２６間の寸法が拡大したり、側壁２６，２６を初期位置に復帰させるようになっている。また、受容溝２７Ａにおいて、溝底面２７Ｂは、図７に示されるように、中間部が最も高くなる左右略対象の緩やかな曲面に形成されている。すなわち、前記挿入路２８から溝底面２７Ｂの中央部に向かって次第に高くされとともに、中央部からベース端部２５Ａに向かって次第に低くなるように形成されている。また、前記受容溝２７Ａを形成する側壁２６は、その上部が溝底面２７Ｂと同程度の曲率で中間部が高く形成されているとともに、図５及び図６に示されるように、側壁２６，２６の上部相対面にストッパとしての突条部３４，３４がそれぞれ形成されている。これら突条部３４，３４間の隙間寸法は、綴じ紐２０の幅寸法より小さくされているとともに、前記挿入路２８側とこれの反対側が広く形成され、且つ、中間部領域が最小となって平面視で略弓状に近似した形状に設けられている。従って、突条部３４，３４間の隙間寸法は、前記溝底面２７Ｂの略中間部領域に対応した上部領域が最も狭くなるように設けられている。ここにおいて、前記溝底面２７Ｂ、ストッパ３４の前記挿入路２８寄りの略半分領域により、綴じ紐２０の受容促進部が構成され、残り半分領域により、受容溝２７Ａに嵌め込まれた綴じ紐２０の嵌め込み解除促進部が形成されている。なお、溝底面２７Ｂの上面中間部には、複数の突起３７が形成され、当該突起３７によって受容溝２７Ａ内に受容された綴じ紐２０Ａが面方向に滑ることがないように保たれる。
【００２１】
次に、前記綴じ具１０の作用について説明する。
【００２２】
用紙Ｐを綴じ込むときは、図２に示されるように、綴じ板部材２１を綴じ紐２０に対して分離させておき、装着部１６から内方に突出する綴じ紐２０を起立させる。この際、綴じ紐２０は紙製であるが、紙縒り２０Ａを複数本用いて水引と同様に構成しているため、いわゆる腰が強い状態を発揮する。従って、指先で綴じ紐２０の先端側領域を起立する方向に向けると、当該起立した状態を保持させることができる。
【００２３】
次いで、綴じ紐２０の各先端を書類Ｐの綴じ穴Ｐ１に挿入するとともに、綴じ板部材２１の挿通路２８，２８に挿入し、綴じ板部材２１を装着部１６の面に向かって降ろして紙面Ｐ上に載せる（図７Ａ参照）。この後、挿入路２８から突出している綴じ紐２０の基部に対し、例えば、人差し指の腹を当てがい、当該綴じ紐２０を倒伏させるように指の腹を滑らせて綴じ紐２０を受容溝２７Ａ内に押し込む。この際、指の腹が受容溝２７Ａに食い込み、スリット３２を設けたことによる作用で突条部３４，３４間の隙間寸法が僅かに広くなる。また、挿入路２８側となる突条部３４，３４間の隙間寸法が広く設けられていること、及び、溝底面２７Ｂが挿入路２８側から次第に上昇している構成とが相互に作用し、挿入路２８近傍において倒伏し難い綴じ紐２０であっても受容溝２７Ａに対する綴じ紐２０の初期の受容動作をスムースに行うことができる。この際、綴じ紐２０は、図６に示されるように、薄肉部２０Ｂ位置にて撓み変形して幅方向両端が突条部３４を乗り越え、当該突条部３４の下方に潜って当該突条部３４の下面側に係り合うようになる。そして、指先を横方向に滑らせながら押圧力を加え続けて受容溝２７Ａの中央部領域を過ぎると、突条部３４，３４間の隙間寸法が次第に広くなっていることにより、以後の受容動作を更に容易に行うことができる（図７（Ｂ）〜（Ｄ）参照）。綴じ紐２０を受容溝２７Ａに完全に受容して嵌め込んだ状態では、当該綴じ紐２０は略水平姿勢となり、突条部３４に係り合って上方への浮き上がり若しくは抜け出しが規制され、また、溝底面２７Ｂに形成された突起３７で長手方向に沿う移動が規制される。
【００２４】
この一方、綴じ板部材２１を再び外すときは、綴じ紐２０の各端部側を指先で摘み、上方に引き上げるようにすればよい。この際、嵌め込みが解除される側となる突条部３４，３４の端部は広い隙間寸法となっているため、解除抵抗が小さく抑えられることと、綴じ紐２０が薄肉部２０Ｂ位置で撓み変形することが相互に作用して突条部３４，３４間を容易に抜け出ることとなる。
【００２５】
従って、このような実施形態によれば、綴じ紐２０を受容溝２７Ａに嵌め込む際の初期の動作と、受容溝２７Ａに嵌め込まれた綴じ紐２０の嵌め込みを解除する際の動作が無理なく行えるようになる。
【００２６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、前記実施形態では、紙縒りを複数本用いて相互に連結した略水引形状となる紙製の綴じ紐を用いたが、本発明はこれに限定されるものではなく、帯状をなす樹脂製の綴じ紐を用いることを妨げるものではない。
【００２８】
【発明の効果】
以上説明したように、本発明によれば、無理に嵌め込もうとする過大な押圧力を要せずに、綴じ紐を倒伏する方向に押圧することで、当該綴じ紐を受容溝に容易に嵌め込むことができる、という効果を得る。
【００２９】
また、受容溝に嵌め込まれた綴じ紐の嵌め込みを解除するときの動作も容易なものとなり、嵌め込み及びその解除の双方動作において、綴じ具への負担軽減を図って綴じ具の損傷原因を回避することができる。
【００３０】
また、前記受容溝を曲面形状にする一方、ストッパの中間部領域の幅を最小とした構成により、指の腹が受容溝に食い込み易くなって受容動作をスムースに行うことが可能となる。
【００３１】
更に、受容溝にスリットを形成した構成を合わせて採用した構成により、前述した嵌め込みと解除の各動作を一層スムースに行うことができる。
【図面の簡単な説明】
【図１】本実施形態に係るファイルを開いた状態を示す概略斜視図。
【図２】綴じ板部材を綴じ紐から分離した状態を示す図１と同様の概略断面図。
【図３】図２のＡ−Ａ線に沿う部分断面図。
【図４】綴じ紐と綴じ板部材の拡大斜視図。
【図５】（Ａ）は綴じ板部材の平面図、（Ｂ）は同底面図。
【図６】（Ａ）ないし（Ｄ）は、綴じ紐が撓み変形する状態を示す断面図。
【図７】（Ａ）ないし（Ｄ）は、綴じ紐を受容溝に嵌め込む時若しくは嵌め込みを解除するときの動作を示す概略断面図。
【符号の説明】
１０  ファイル
１１  表紙体
１２  綴じ具
１４  背表紙
１６  装着部
２０  綴じ紐
２１  綴じ板部材
２５  ベース
２６  側壁
２７Ａ  受容溝
２８  挿入路
３２  スリット
３４  突条部（ストッパ）
Ｐ  書類
Ｐ１  綴じ穴
【図１】
2005014218.tif 000003
【図２】
2005014218.tif 000004
【図３】
2005014218.tif 000005
【図４】
2005014218.tif 000006
【図５】
2005014218.tif 000007
【図６】
2005014218.tif 000008
【図７】
2005014218.tif 000009